(57)【要約】【課題】  セパレータの固定し直しや位置調整を不要にし、間隙もなくし、外観も改善したアルミラックのセパレータ接続具を提供すること。【解決手段】  セパレータ５を備えた２つのアルミラック１の端部同士を傾斜して接続するためのアルミラックのセパレータ接続具であって、  第１、第２の連結板１１、１２を備え、前記第１、第２の連結板１１、１２がそれぞれ互いに合致させるための連結穴１１ａ、１２ａと２つのアルミラック１、１の各セパレータ５、５の端部５ａ、５ａに固定するための取付け穴１１ｂ、１２ｂを備え、  前記取付け穴１１ｂ、１２ｂにおいて２つのアルミラックの各セパレータの端部に前記第１、第２の連結板１１、１２を固定し、前記第１、第２の連結板１１、１２の前記各連結穴１１ａ、１２ａにおいて前記第１、第２の連結板１１、１２を任意の傾きで連結するようにした。【選択図】        図１
2006166589.tif 000002
【特許請求の範囲】
【請求項１】
セパレータを備えた２つのアルミラックの端部同士を傾斜して接続するためのアルミラックのセパレータ接続具であって、
第１、第２の連結板を備え、前記第１、第２の連結板がそれぞれ互いに合致させるための連結穴と２つのアルミラックの各セパレータの端部に固定するための取付け穴を備え、
前記取付け穴において２つのアルミラックの各セパレータの端部に前記第１、第２の連結板を固定し、前記第１、第２の連結板の前記各連結穴において前記第１、第２の連結板を任意の傾きで連結するようにしたことを特徴とするアルミラックのセパレータ接続具。
【請求項２】
前記第１、第２の連結板の少なくとも一方において、前記取付け穴の近傍にビードを設けた請求項１記載のアルミラックのセパレータ接続具。
【発明の詳細な説明】
【技術分野】
【０００１】
本発明はアルミラックの端部同士を互いに傾斜して接続する際に、セパレータの端部同士の接続に用いられる接続具に関する。
【背景技術】
【０００２】
例えばビルディング、工場、倉庫、駅舎などの建造物において、ケーブルや冷媒管などの配線・配管などのためにアルミニウム製のラック（以下アルミラックと記す）が設置される。
【０００３】
アルミラック１は図１１に示すように互いに平行な２枚の親桁２、２間を一定間隔で垂直方向の複数の子桁３、３、…で連結したものであって、複数の子桁３、３、…の上に沿ってケーブルや冷媒管など（図示せず）が配線・配管される。１本のアルミラックは長さに限りがあるので、長手方向に２本のアルミラック１、１の端部同士を接続して複数本のアルミラックが設置される。
【０００４】
そして、この接続は、ケーブルなどの配線方向、あるいは建造物の構造上の理由や他の物体を避けるなどの理由で、図１１に示すように互いに上下方向へ互いに傾斜する方向に（「へ」の字型あるいは逆「へ」の字型に）連結する場合がある。
【０００５】
このようにアルミラック１、１の端部同士を上下に傾斜して連結する場合には、図１１のように、接続具４、４でアルミラック１の親桁２の端部同士を上下方向に任意の角度で交叉するように接続している。
【０００６】
ところで、多種類のケーブルなどが混在してアルミラック１上に配線・配管される場合、例えば電源用ケーブルと通信用ケーブルなど種類の異なるケーブル相互をアルミラック上で分割するために、２枚の親桁２、２の中間に直線セパレータと称せられる仕切り板（以下セパレータと記す）５を複数の子桁３、３、…の上に取付ける場合がある（セパレータ５を子桁３に取付けるための取付け具は図示していない）。
【０００７】
このようにセパレータ５が設けてある場合、２本のアルミラック１、１の端部を上下方向に傾斜させて接続具４、４を用いて親桁２の端部同士を連結すると、セパレータ５の端部５ａと親桁２の端部２ａは長手方向のほぼ同位置にあるから、図１１に示すように２つのセパレータ５、５の間に空隙ができてしまい、セパレータ５の両側に分離したケーブル同士が接触するおそれがある。
【０００８】
このため、従来では、図１２に示すように、セパレータ５を親桁２より突出するように、即ち、互いに接近する方向に位置をずらして子桁３に固定し直して、セパレータ５、５の先端５ａ、５ａの下側の角部（図１２で左側のアルミラックが下方へ傾斜している場合、逆の傾斜ならば上側の角部）を突き合わせていた。
【発明の開示】
【発明が解決しようとする課題】
【０００９】
しかしながら、このようにセパレータ５、５の位置をずらして子桁３に固定し直して突き合わせ調整するのは、調整作業に手間と時間がかかり、また角部以外の部分に空隙Ｇができるので分離したケーブル同士が接触するおそれがあり、また外観上も良くなかった。
本発明はこのような問題を解決し、セパレータの固定し直しや位置調整を不要にし、間隙もなくし、外観も改善したアルミラックのセパレータ接続具を提供することを目的としている。
【課題を解決するための手段】
【００１０】
前記目的を達成するために本発明の請求項１のアルミラックのセパレータ接続具では、
第１、第２の連結板を備え、前記第１、第２の連結板がそれぞれ互いに合致させるための連結穴と２つのアルミラックの各セパレータの端部に固定するための取付け穴を備え、
前記取付け穴において２つのアルミラックの各セパレータの端部に前記第１、第２の連結板を固定し、前記第１、第２の連結板の前記各連結穴において前記第１、第２の連結板を任意の傾きで連結するようにしている。
【００１１】
また、本発明の請求項２のアルミラックのセパレータ接続具では、
前記第１、第２の連結板の少なくとも一方において、前記取付け穴の近傍にビードを設けている。
【発明の効果】
【００１２】
このようにしたため、本発明の請求項１のアルミラックのセパレータ接続具では、セパレータの子桁への固定し直しや位置調整を不要にし、２つのセパレータの先端の間の間隙をなくし、外観も改善することができる。
【００１３】
また本発明の請求項２のアルミラックのセパレータ接続具では、ビードによってボルトやタップねじ穴の先端の突起からケーブルの損傷を防ぐことができる。
【発明を実施するための最良の形態】
【００１４】
以下、図面に基づいて本発明の実施の形態を説明する。
図１は本発明のアルミラックのセパレータ接続具の一実施形態を示している。
【００１５】
このセパレータ接続具１０は第１、第２の連結板１１、１２を備えている。
第１、第２の連結板１１、１２はほぼ長方形板状体であって、一端側に互いに連結するための連結穴１１ａ、１２ａを備え、他端側にセパレータ５の端部５ａに固定するための取付け穴１１ｂ、１２ｂを備えている。
【００１６】
連結穴１１ａ、１１ｂは第１、第２の連結板１１、１２の少なくとも一方において横方向に長い長穴（図１では連結穴１１ａ、１２ａともに長穴の場合を示している。）にすることが望ましい。
【００１７】
また、取付け穴１１ｂ、１２ｂは図１に示すようにねじ穴、あるいは、一面側へ突出したタップねじ穴にボルト１４をねじ穴に螺着するようにしてもよいが、図２に示すように単なる挿通穴にして挿通させたボルト１４の先端に袋ナット１５を螺着するようにしてもよい。
【００１８】
なお、図１に示すように、上下を除いて円弧状に、取付け穴１１ｂ、１２ｂの周囲を囲むように２つの円弧状のビード２３、２４が設けられている。
【００１９】
次に使用法を説明する。
図３は２つのアルミラック１、１の端部同士を上下に傾斜させて「へ」字状に接続する場合を示している。
【００２０】
２つのアルミラック１、１の各親桁２の端部同士が、図１１で説明した場合と全く同じく、接続具４、４によって所望の傾斜角で連結されている。即ち、接続具４を構成する２つの連結板４ａ、４ｂが親桁２の端部２ａにそれぞれボルト６ａ、ナット６ｂで固定され、２つの連結板４ａ、４ｂ同士は所望の傾斜角にしてボルト７ａ、ナット７ｂで締付け固定している。
【００２１】
図４、図５に示すようにアルミラック１、１の子桁３、３、…に沿って固定されたセパレータ５の端部５ａに穴１６をあける。
【００２２】
セパレータ５の端部５ａの一面側から図１、図５に示すようにこの穴１６にボルト１４の軸部を挿通し、セパレータ５の反対面に当てた一方の連結板１１の取付け穴１１ｂに軸部を螺着してセパレータ５に連結板１１を固定し、図２のように挿通穴の場合には図２に示すように袋ナット１５を螺着してセパレータ５に連結板１１を固定する。
全く同様に他方のアルミラック１のセパレータ５の端部５ａに他方の連結板１２を固定する。
【００２３】
このように第１、第２の連結板１１、１２を各セパレータ５、５の端部５ａ、５ａに固定して、図３に示すように第１、第２の連結板１１、１２の先端部を重ね、この重なった２つの連結穴１１ａ、１２ａに図１、図２に示すようにワッシャー１８、１９を介してボルト２０の軸部を挿通し、ボルト２０の軸部の先端に袋ナット２１を締付けて、第１、第２の連結板１１、１２を所望の角度で連結する。
【００２４】
このようにして２つのアルミラック１、１の交差角度に合わせて２つのセパレータ５、５の端部５ａ，５ａを接続することができる。
【００２５】
ビード２３（２４）の突出高さは、図５に示すように螺着したボルト１４の先端の高さおよびタップねじ穴１１ｂ，１２ｂの先端の高さより大にすることが望ましい。
このようにビード２３、２４を設ければ、図５に示すようにアルミラック１に配線されたケーブルＣがボルト１４やタップねじ穴の先端に接触しなくなり、ケーブルの損傷を防ぐことができる。(なお図２のように袋ナット１５をボルト１４に螺着する場合にはビードは不要である。)
【００２６】
なお、図６のように取付け穴１１ｂ、１２ｂの周囲を囲むように環状のビード２５、２６を設けてもよく、図７のように、取付け穴１１ｂ、１２ｂの両側を囲むように直線状のビード２７、２８を左右両側に設けてもよく、図８のように取付け穴１１ｂ、１２ｂの両側を囲むように直線状のビード２９、３０が第１、第２の連結板１１、１２の上下方向の全長にわたって設けてもよい。
【００２７】
図９は、セパレータ５の上下の幅が大で上下方向の中間にリブ５ｂが側面に突出している場合に用いるためのセパレータ接続具１０を示している。
【００２８】
即ち、このセパレータ接続具１０を構成する、第１、第２の連結板１１、１２は、一端側の上下方向の中央に互いに連結するための連結穴１１ａ、１２ａを備え、他端側の上下の２ケ所にセパレータ５の端部５ａに固定するための取付け穴１１ｂ、１１ｂ、１２ｂ、１２ｂを備え、さらに、上下方向の中央に前記リブ５ｂを挿入するためのスリット３３ａ、３３ａが端部から水平方向に設けられている。なお、図中２３、２４はビードである。
【００２９】
従って、図９に示すように、セパレータ５の端部５ａの上下２ケ所に穴１６、１６をあけて、セパレータ５の一面側のリブ５ｂを連結板１１、１２の各スリット３３ａ、３３ａの奥まで挿入して上下の穴１６、１６に上下の取付け穴１１ｂ、１１ｂ、１２ｂ、１２ｂを合致させてボルト１４、１４、…で固定し、２つの連結板１１、１２を連結穴１１ａ、１２ａにおいて図１と同じくボルト２０と袋ナット２１で連結する。
【００３０】
なお、図１０の実施形態では、ビードを設けていない場合を示している。
【００３１】
なお、図６、図７、図８、図９では取付け穴１１ｂ，１２ｂをねじ穴にした場合を例示しているが、図２の場合と同じく挿通穴にしてボルトと袋ナットで固定するようにしてもよい。
【図面の簡単な説明】
【００３２】
【図１】本発明の一実施形態を示す斜視図
【図２】本発明の他の実施形態を示す斜視図
【図３】本発明の一実施形態のセパレータ接続具の使用状態を示す斜視図
【図４】セパレータの端部に穴をもうけた斜視図
【図５】図１の実施形態の取付け状態を示す断面図
【図６】本発明の他の実施形態を示す斜視図
【図７】本発明の他の実施形態を示す斜視図
【図８】本発明の他の実施形態を示す斜視図
【図９】本発明の他の実施形態を示す斜視図
【図１０】本発明の他の実施形態を示す斜視図
【図１１】２つのアルミラックの連結状態を示す斜視図
【図１２】従来方法による２つのアルミラックの連結状態を示す斜視図
【符号の説明】
【００３３】
１  アルミラック
５  セパレータ
１０  セパレータ接続具
１１  第１の連結板
１１ａ  連結穴
１１ｂ  取付け穴
１２  第２の連結板
１２ａ  連結穴
１２ｂ  取付け穴
２３、２４、２５、２６、２７、２８、２９、３０  ビード
３３ａ  スリット
【図１】
2006166589.tif 000003
【図２】
2006166589.tif 000004
【図３】
2006166589.tif 000005
【図４】
2006166589.tif 000006
【図５】
2006166589.tif 000007
【図６】
2006166589.tif 000008
【図７】
2006166589.tif 000009
【図８】
2006166589.tif 000010
【図９】
2006166589.tif 000011
【図１０】
2006166589.tif 000012
【図１１】
2006166589.tif 000013
【図１２】
2006166589.tif 000014